(57)【要約】【課題】カレンダー上の所定期間領域単位に一つの代表画像を表示するカレンダー表示を高速且つスムーズに行うことができるようにする。【解決手段】画像再生装置は、着脱メモリ９に第１の所定期間単位（例えば月単位）で記録されている、その第１の所定期間単位よりも短い第２の所定期間単位（例えば日単位）で代表画像ファイルのリストが少なくとも記述されているカレンダー用制御ファイルに基づいて、その第１又は第２の所定期間単位で表されるカレンダー上の所定位置に代表画像を表示させるカレンダー再生を行う。【選択図】図１
2006245833.tif 000002
【特許請求の範囲】
【請求項１】
記録媒体に第１の所定期間単位で記録されているカレンダー用制御ファイルであって前記第１の所定期間単位よりも短い第２の所定期間単位で代表画像ファイルのリストが少なくとも記述されている前記カレンダー用制御ファイルに基づいて、前記第１又は前記第２の所定期間単位で表されるカレンダー上の所定位置に代表画像を表示させるカレンダー再生を行うカレンダー再生手段、
を有することを特徴とする画像再生装置。
【請求項２】
前記記録媒体に画像ファイルが記録されたときに、当該画像ファイルの撮影日時を含む第１の所定期間に係るカレンダー用制御ファイルが前記記録媒体に記録されていない場合には、前記画像ファイルの撮影日時を含む第２の所定期間に係る代表画像ファイルのリストとして前記画像ファイルのリストを記述したカレンダー用制御ファイルを、前記画像ファイルの撮影日時を含む第１の所定期間に係るカレンダー用制御ファイルとして作成するカレンダー用制御ファイル作成手段と、
前記カレンダー用制御ファイル作成手段により作成されたカレンダー用制御ファイルを前記記録媒体に記録する記録手段と、
を更に有することを特徴とする請求項１記載の画像再生装置。
【請求項３】
前記記録媒体に画像ファイルが記録されたときに、当該画像ファイルの撮影日時を含む第１の所定期間に係るカレンダー用制御ファイルが前記記録媒体に記録されている場合であって、且つ、当該カレンダー用制御ファイルに、前記画像ファイルの撮影日時を含む第２の所定期間に係る代表画像ファイルのリストが記述されていない場合には、当該カレンダー用制御ファイルに、前記画像ファイルの撮影日時を含む第２の所定期間に係る代表画像ファイルのリストとして前記画像ファイルのリストを追記する第１のカレンダー用制御ファイル更新手段、
を更に有することを特徴とする請求項１又は２記載の画像再生装置。
【請求項４】
前記記録媒体に画像ファイルが記録されたときに、当該画像ファイルの撮影日時を含む第１の所定期間に係るカレンダー用制御ファイルが前記記録媒体に記録されている場合であって、且つ、当該カレンダー用制御ファイルに、前記画像ファイルの撮影日時を含む第２の所定期間に係る代表画像ファイルのリストが記述されている場合には、所定条件の下に、当該カレンダー用制御ファイルに記述されている前記画像ファイルの撮影日時を含む第２の所定期間に係る代表画像ファイルのリストを前記画像ファイルのリストへ変更する第２のカレンダー用制御ファイル更新手段、
を更に有することを特徴とする請求項１乃至３の何れか一項記載の画像再生装置。
【請求項５】
前記カレンダー用制御ファイル作成手段は、カレンダー用制御ファイルを作成するときに、作成するカレンダー用制御ファイルに係る第１の所定期間よりも過去又は及び未来の第１の所定期間に係るカレンダー用制御ファイルが前記記録媒体に記録されている場合には、前記作成するカレンダー用制御ファイルに係る第１の所定期間よりも過去で且つ最新又は及び未来で且つ最古の第１の所定期間に係るカレンダー用制御ファイルのリストを、前記作成するカレンダー用制御ファイルに記述する、
ことを特徴とする請求項２乃至４の何れか一項記載の画像再生装置。
【請求項６】
前記カレンダー用制御ファイル作成手段によりカレンダー用制御ファイルのリストが記述されたカレンダー用制御ファイルが作成された場合に、前記記述されたリストに係るカレンダー用制御ファイルに、前記作成されたカレンダー用制御ファイルのリストを追記する第３のカレンダー用制御ファイル更新手段、
を更に有することを特徴とする請求項５記載の画像再生装置。
【請求項７】
前記カレンダー再生手段は、表示対象となる第１の所定期間のカレンダーを再生する際に、前記記録媒体に記録されている前記表示対象となる第１の所定期間に係るカレンダー用制御ファイルに記述されている第２の所定期間に係る代表画像ファイルのリストに基づいて当該代表画像ファイルの画像データを前記記録媒体から読み出し、当該画像データに基づく画像を、前記表示対象となる第１の所定期間のカレンダー上の前記第２の所定期間の領域に表示する、
ことを特徴とする請求項１乃至６の何れか一項記載の画像再生装置。
【請求項８】
前記カレンダー再生手段は、表示対象となる第１の所定期間のカレンダーを再生しているときに、表示対象となる第１の所定期間を変更する場合には、変更前の第１の所定期間に係るカレンダー用制御ファイルに記述されているカレンダー用制御ファイルのリストに基づいて当該カレンダー用制御ファイルを前記記録媒体から読み出し、当該カレンダー用制御ファイルに記述されている第２の所定期間に係る代表画像ファイルのリストに基づいて当該代表画像ファイルの画像データを前記記録媒体から読み出し、当該画像データに基づく画像を、前記読み出したカレンダー用制御ファイルに係る第１の所定期間のカレンダー上の前記第２の所定期間の領域に表示する、
ことを特徴とする請求項５乃至７の何れか一項記載の画像再生装置。
【請求項９】
前記カレンダー再生手段は、前記第１の所定期間単位よりも長い第３の所定期間単位のカレンダー再生を行う場合であって表示対象となる第３の所定期間のカレンダーを再生する際に、前記第３の所定期間に含まれる第１の所定期間に係るカレンダー用制御ファイルを前記記録媒体から読み出し、当該カレンダー用制御ファイルに記述されている１つの第２の所定期間に係る代表画像ファイルのリストに基づいて当該代表画像ファイルの画像データを読み出し、当該画像データに基づく画像を、前記表示対象となる第３の所定期間のカレンダー上の、前記読み出したカレンダー用制御ファイルに係る第１の所定期間の領域に表示する、
ことを特徴とする請求項１乃至８の何れか一項記載の画像再生装置。
【発明の詳細な説明】
【技術分野】
【０００１】
本発明は、カレンダーを表示する際にカレンダー上の日又は月などの所定期間領域単位でその所定期間内に撮影された画像を表示するカレンダー再生機能を備えた画像再生装置に関する。
【背景技術】
【０００２】
従来、カレンダー再生機能を備えた画像再生装置がある。例えば、特許文献１には、この画像再生装置として、カレンダーを表示する際にカレンダー上の日や月毎にその日やその月内に撮影された画像を表示するようにしたデジタルカメラが記載されている。また、特許文献２には、カレンダーを表示する際にカレンダー上の日毎にその日内に撮影された画像の中から選択された代表となる一つの画像を表示するようにしたデジタルスチルカメラが記載されている。
【特許文献１】特開平１１−２１５４５７号公報
【特許文献２】特開２００４−２６０７１０号公報
【発明の開示】
【発明が解決しようとする課題】
【０００３】
ところで、上記特許文献２に記載されているデジタルスチルカメラのように、カレンダーを表示する際にカレンダー上の所定期間領域単位にその所定期間内に撮影された画像の中から選択された代表となる一つの画像を表示するようにした画像再生装置では、例えば１月、２月などの月単位カレンダーを表示しているときに表示月を変更する場合には、その都度、記録メディアに記録されている全ての画像ファイルの中から代表となる一つの画像（画像ファイル）を検索する必要がある。そのため、記録メディアに記録されている画像ファイルが増加してくると、代表となる画像の検索に要する時間が長くなり、結果として、カレンダーの表示が高速且つスムーズに行われない虞があった。
【０００４】
本発明は、上記実情に鑑み、カレンダー上の所定期間領域単位に一つの代表画像を表示するカレンダー表示を高速且つスムーズに行うことができる画像再生装置を提供することを目的とする。
【課題を解決するための手段】
【０００５】
上記目的を達成するため、本発明の第１の態様に係る画像再生装置は、記録媒体に第１の所定期間単位で記録されているカレンダー用制御ファイルであって前記第１の所定期間単位よりも短い第２の所定期間単位で代表画像ファイルのリストが少なくとも記述されている前記カレンダー用制御ファイルに基づいて、前記第１又は前記第２の所定期間単位で表されるカレンダー上の所定位置に代表画像を表示させるカレンダー再生を行うカレンダー再生手段、を有する。
【０００６】
また、本発明の第２の態様に係る画像再生装置は、上記第１の態様において、  前記記録媒体に画像ファイルが記録されたときに、当該画像ファイルの撮影日時を含む第１の所定期間に係るカレンダー用制御ファイルが前記記録媒体に記録されていない場合には、前記画像ファイルの撮影日時を含む第２の所定期間に係る代表画像ファイルのリストとして前記画像ファイルのリストを記述したカレンダー用制御ファイルを、前記画像ファイルの撮影日時を含む第１の所定期間に係るカレンダー用制御ファイルとして作成するカレンダー用制御ファイル作成手段と、前記カレンダー用制御ファイル作成手段により作成されたカレンダー用制御ファイルを前記記録媒体に記録する記録手段と、を更に有する。
【０００７】
また、本発明の第３の態様に係る画像再生装置は、上記第１又は２の態様において、前記記録媒体に画像ファイルが記録されたときに、当該画像ファイルの撮影日時を含む第１の所定期間に係るカレンダー用制御ファイルが前記記録媒体に記録されている場合であって、且つ、当該カレンダー用制御ファイルに、前記画像ファイルの撮影日時を含む第２の所定期間に係る代表画像ファイルのリストが記述されていない場合には、当該カレンダー用制御ファイルに、前記画像ファイルの撮影日時を含む第２の所定期間に係る代表画像ファイルのリストとして前記画像ファイルのリストを追記する第１のカレンダー用制御ファイル更新手段、を更に有する。
【０００８】
また、本発明の第４の態様に係る画像再生装置は、上記第１乃至３の何れか一つの態様において、前記記録媒体に画像ファイルが記録されたときに、当該画像ファイルの撮影日時を含む第１の所定期間に係るカレンダー用制御ファイルが前記記録媒体に記録されている場合であって、且つ、当該カレンダー用制御ファイルに、前記画像ファイルの撮影日時を含む第２の所定期間に係る代表画像ファイルのリストが記述されている場合には、所定条件の下に、当該カレンダー用制御ファイルに記述されている前記画像ファイルの撮影日時を含む第２の所定期間に係る代表画像ファイルのリストを前記画像ファイルのリストへ変更する第２のカレンダー用制御ファイル更新手段を更に有する。
【０００９】
また、本発明の第５の態様に係る画像再生装置は、上記第２乃至４の何れか一つの態様において、前記カレンダー用制御ファイル作成手段は、カレンダー用制御ファイルを作成するときに、作成するカレンダー用制御ファイルに係る第１の所定期間よりも過去又は及び未来の第１の所定期間に係るカレンダー用制御ファイルが前記記録媒体に記録されている場合には、前記作成するカレンダー用制御ファイルに係る第１の所定期間よりも過去で且つ最新又は及び未来で且つ最古の第１の所定期間に係るカレンダー用制御ファイルのリストを、前記作成するカレンダー用制御ファイルに記述する。
【００１０】
また、本発明の第６の態様に係る画像再生装置は、上記第５の態様において、  前記カレンダー用制御ファイル作成手段によりカレンダー用制御ファイルのリストが記述されたカレンダー用制御ファイルが作成された場合に、前記記述されたリストに係るカレンダー用制御ファイルに、前記作成されたカレンダー用制御ファイルのリストを追記する第３のカレンダー用制御ファイル更新手段を更に有する。
【００１１】
また、本発明の第７の態様に係る画像再生装置は、上記第１乃至６の何れか一つの態様において、前記カレンダー再生手段は、表示対象となる第１の所定期間のカレンダーを再生する際に、前記記録媒体に記録されている前記表示対象となる第１の所定期間に係るカレンダー用制御ファイルに記述されている第２の所定期間に係る代表画像ファイルのリストに基づいて当該代表画像ファイルの画像データを前記記録媒体から読み出し、当該画像データに基づく画像を、前記表示対象となる第１の所定期間のカレンダー上の前記第２の所定期間の領域に表示する。
【００１２】
また、本発明の第８の態様に係る画像再生装置は、上記第５乃至７の何れか一つの態様において、前記カレンダー再生手段は、表示対象となる第１の所定期間のカレンダーを再生しているときに、表示対象となる第１の所定期間を変更する場合には、変更前の第１の所定期間に係るカレンダー用制御ファイルに記述されているカレンダー用制御ファイルのリストに基づいて当該カレンダー用制御ファイルを前記記録媒体から読み出し、当該カレンダー用制御ファイルに記述されている第２の所定期間に係る代表画像ファイルのリストに基づいて当該代表画像ファイルの画像データを前記記録媒体から読み出し、当該画像データに基づく画像を、前記読み出したカレンダー用制御ファイルに係る第１の所定期間のカレンダー上の前記第２の所定期間の領域に表示する。
【００１３】
また、本発明の第９の態様に係る画像再生装置は、上記第１乃至８の何れか一つの態様において、前記カレンダー再生手段は、前記第１の所定期間単位よりも長い第３の所定期間単位のカレンダー再生を行う場合であって表示対象となる第３の所定期間のカレンダーを再生する際に、前記第３の所定期間に含まれる第１の所定期間に係るカレンダー用制御ファイルを前記記録媒体から読み出し、当該カレンダー用制御ファイルに記述されている１つの第２の所定期間に係る代表画像ファイルのリストに基づいて当該代表画像ファイルの画像データを読み出し、当該画像データに基づく画像を、前記表示対象となる第３の所定期間のカレンダー上の、前記読み出したカレンダー用制御ファイルに係る第１の所定期間の領域に表示する。
【発明の効果】
【００１４】
本発明によれば、カレンダー上の所定位置に一つの代表画像を表示するカレンダー表示を高速且つスムーズに行うことができる。
また、このカレンダー表示において、月単位や年単位のカレンダー表示を行っているときに表示月や表示年を変更した場合や、カレンダー表示を月単位から年単位へ変更した場合、或いは、年単位から月単位へ変更した場合等であっても、変更後のカレンダー表示を高速且つスムーズに行うことができるので、ユーザは待たされることなく直ぐに変更後のカレンダーを確認することができる。
【発明を実施するための最良の形態】
【００１５】
以下、本発明の実施の形態を図面を参照しながら説明する。
図１は、本発明の一実施例に係る画像再生装置を備えたデジタルカメラの主要構成を示す図である。尚、本実施例に係るデジタルカメラは、ＤＣＦ（ Design rule for Camera File system ）準拠して構成されているものとする。
【００１６】
同図において、このデジタルカメラは、撮影時には、撮影レンズ系１によって結像された被写体像が、撮像素子２により電気信号に光電変換され、更に撮像回路３により所定の撮像処理が施された後、Ａ／Ｄ部４によりＡ／Ｄ変換され、そのデジタルデータ（画像データ）が内蔵ＲＡＭ（ＤＲＡＭ）１３に一時的に格納されるようになっている。そして、この一時格納された画像データが、システムコントローラ（以下単に「シスコン」という）５により所定の画像処理が施され、更に画像処理部６により所定の圧縮処理が施され、Ｉ／Ｆ７を介してカードスロット８に装着された着脱メモリ９に画像ファイルとして記録されるようになっている。
【００１７】
また、再生時には、着脱メモリ９に記録された画像データが、カードスロット８及びＩ／Ｆ７を介して読み出され、画像処理部６により所定の伸長処理が施された後、シスコン５により所定の画像処理が施されてＶＲＡＭ１０に格納され、ＬＣＤドライバ１１によってその画像が内蔵ＬＣＤ１２に表示されるようになっている。
【００１８】
また、同図において、内蔵ＲＡＭ１３は、Ａ／Ｄ部４によるＡ／Ｄ変換後の画像データの一時格納用として使用される他、画像処理部６による処理中の画像データの一時格納用、及び後述のカレンダー用制御ファイル（以下単に「制御ファイル」という）の作成，更新等の処理を含むシスコン５による制御処理の実行のためのワークエリア等としても使用される。
【００１９】
シスコン５は、ＣＰＵ（中央演算処理装置）を備えて構成され、内蔵ＲＯＭ１４に記憶されているカメラプログラムを読み出し実行することによって、当該デジタルカメラ全体の動作を制御する。
【００２０】
操作部１５は、ズームＷｉｄｅ指示又はズームＴｅｌｅ指示のほか各種再生（１コマ再生や、１月，２月等の月単位カレンダー再生や、２００４年，２００５年等の年単位カレンダー再生等）の切り替え指示を行うためのズームボタン（ズームＷｉｄｅボタン，ズームＴｅｌｅボタン）と、表示コマの切り替え指示やカーソル枠の移動指示などを行うための十字ボタン（左，右，上，下ボタン）などの各種ボタンやスイッチ等を備えて構成され、受け付けた指示をシスコン５へ通知する。
【００２１】
外部Ｉ／Ｆ１６は、ＰＣ（パーソナルコンピュータ）等の外部装置との間で例えばＵＳＢケーブル等を介してデータの送受を可能にするものであり、この外部Ｉ／Ｆ１６を介して、外部装置に記録されている画像ファイルを着脱メモリ９へ移動又はコピーすることができるようになっている。
【００２２】
次に、上述したデジタルカメラの動作を説明する。
このデジタルカメラでは、内蔵ＬＣＤ１２に月単位又は年単位のカレンダーを表示する際に、着脱メモリ９に記録されている制御ファイルに基づいて、その月単位カレンダー上の日単位の領域にその日に撮影された代表となる一つの画像を表示する月単位カレンダー再生や、その年単位カレンダー上の月単位の領域にその月に撮影された代表となる一つの画像を表示する年単位カレンダー再生などのカレンダー再生を、高速且つスムーズに行うことが可能になっている。
【００２３】
以下、このカレンダー再生動作について詳細に説明する。
まず、この動作説明の前に、このカレンダー再生動作で使用される上記制御ファイルについて、図２乃び図３を用いて説明する。
【００２４】
図２は、上記制御ファイルが記録された着脱メモリ９のファイル構成例を示す図である。
【００２５】
同図に示したように、着脱メモリ９には、ルートフォルダ下に「ＤＣＩＭ」フォルダ、及び「ＣＡＬＥＮＤＡＲ」フォルダが設けられ、「ＤＣＩＭ」フォルダ以下の階層には画像ファイル（*.jpg）が記録され、「ＣＡＬＥＮＤＡＲ」フォルダ下の階層には制御ファイル（year_month.CAL）が記録されるようになっている。
【００２６】
「ＤＣＩＭ」フォルダ以下の画像ファイルは、画像データの他に撮影日時（撮影年月日）等の情報も含んでいる。撮影日時の情報は、画像ファイルの例えばＥｘｉｆ（ Exchangeable Image File Format ）タグ等に記載される。同図では、画像ファイルと共に撮影日時の情報も併せて示している（例えば「Ｐ１０１０００１．ｊｐｇ  ２００４／１／１  １０：００」等）。
【００２７】
尚、本実施例では、撮影日時の情報として、この画像ファイルに含まれる撮影日時の情報を使用するものとするが、その他、着脱メモリ９のディレクトリエントリに記述されたＤｏｓＴｉｍｅＳｔａｍｐによる日時情報（年月日の情報）を撮影日時の情報として使用することも可能である。
【００２８】
「ＣＡＬＥＮＤＥＲ」フォルダ下の制御ファイルは、当該着脱メモリ９に記録されている画像ファイルの撮影日時を含む月単位で記録されるものであり、詳しくは、画像ファイルが着脱メモリ９に記録されたときに、当該画像ファイルの撮影日時を含む月に係る制御ファイルが着脱メモリ９に記録されていない場合に限り、その制御ファイルが作成・記録されるものである。同図の例では、着脱メモリ９に記録されている画像ファイルの撮影日時が、２００４年１月，２月，及び６月と２００５年１１月に含まれるものであるから、２００４年１月，２月，及び６月と２００５年１１月に係る４つの制御ファイルが記録されている。
【００２９】
図３は、これらの制御ファイルの記述内容を示す図である。
同図に示したように、制御ファイルには、当該制御ファイルが何年の何月に係るものであるかを特定するための年月（「Ｙｅａｒ」，「Ｍｏｎｔｈ」）と共に、その月内に撮影日が含まれる画像ファイルのリストが日単位で一つづつ記述されるようになっている。但し、撮影日が同日となる画像ファイルが複数ある場合には、その日に係る画像ファイルのリストとして、撮影日時がその日の最古となる画像ファイルのリストが記述される。或いは、この場合には、その他、撮影日時がその日の例えば最新となる画像ファイルのリストが記述されるようにすることも可能である。尚、このように日単位で一つづつ記述される画像ファイルのリストを、代表画像ファイルのリストともいう。
【００３０】
例えば、同図の制御ファイル「２００４＿０１．ＣＡＬ」には、当該制御ファイルに係る月として「２００４」年の「１」月が記述され、撮影日が２００４年１月内の日単位で記述される代表画像ファイルのリストとして、撮影日が「１」日の最古の画像ファイルのリスト「／ＤＣＩＭ／１００ＯＬＹＭＰ／Ｐ１０１０００１．ＪＰＧ」と、撮影日が「５」日の最古の画像ファイルのリスト「／ＤＣＩＭ／１００ＯＬＹＭＰ／Ｐ１０５０００３．ＪＰＧ」が記述されている。
【００３１】
また、制御ファイルには、当該制御ファイルに係る月よりも過去又は及び未来の月に係る制御ファイルが存在する場合には、当該制御ファイルに係る月よりも過去で且つ最新又は及び未来で且つ最古の月に係る制御ファイルのリストも記述されるようになっている。
【００３２】
例えば、制御ファイル「２００４＿０１．ＣＡＬ」には、当該制御ファイルに係る月よりも未来で且つ最古の月に係る制御ファイルのリストとして、２００４年２月に係る制御ファイルのリスト「／ＣＡＬＥＮＤＡＲ／２００４＿０２．ＣＡＬ」が記述されている。但し、「２００４＿０１．ＣＡＬ」には、当該制御ファイルに係る月よりも過去の月に係る制御ファイルが存在しないので、当該制御ファイルに係る月よりも過去で且つ最新の月に係る制御ファイルのリストは記述されない。
【００３３】
また、例えば「２００４＿０２．ＣＡＬ」には、当該制御ファイルに係る月よりも過去で且つ最新の月に係る制御ファイルのリストとして、２００４年１月の制御ファイルのリスト「／ＣＡＬＥＮＤＡＲ／２００４＿０１．ＣＡＬ」が記述され、当該制御ファイルに係る月よりも未来で且つ最古の月に係る制御ファイルのリストとして、２００４年６月の制御ファイルのリスト「／ＣＡＬＥＮＤＡＲ／２００４＿０６．ＣＡＬ」が記述されている。
【００３４】
尚、当該制御ファイルに係る月よりも過去で且つ最新の月に係る制御ファイルのリストを「Ｐｒｅｖ」パラメータともいい、当該制御ファイルに係る月よりも未来で且つ最古の月に係る制御ファイルのリストを「Ｎｅｘｔ」パラメータともいう。
【００３５】
次に、上記制御ファイルに基づいて行われるカレンダー再生動作の概要を説明する。
図４は、そのカレンダー再生動作の概要を説明する図である。
例えば、ユーザが操作部１５に対し所定の操作を行って１コマ毎に画像を表示する１コマ再生モードを指示すると、表示コマが最終コマとされ、その表示コマの画像データが着脱メモリ９から読み出され、その画像データに基づく画像が内蔵ＬＣＤ１２に表示される。
【００３６】
以後、この１コマ再生モードでは、ユーザが十字ボタンを操作する毎に表示コマの切替が行われる。詳しくは、左ボタンを押下すると表示コマが１コマ前となり、右ボタンを押下すると表示コマが１コマ後となり、上ボタンを押下すると表示コマが１０コマ前となり、下ボタンを押下すると表示コマが１０コマ後となって、その都度、表示コマの画像データが着脱メモリ９から読み出され、その画像データに基づく画像が内蔵ＬＣＤ１２に表示される。但し、１コマ前又は１０コマ前のコマがないときには表示コマが最終コマとされ、１コマ後又は１０コマ後のコマがないときには表示コマが１とされる。
【００３７】
この１コマ再生モードにおいて、ユーザが上記ズームＷｉｄｅボタンを押下すると、例えば１月，２月などの月単位でカレンダーを表示する月単位カレンダー再生モードに切り替わり、１コマ再生モードで最後に表示されていた表示コマの画像の撮影日を含む月に係る制御ファイルに基づいて、その月の月単位カレンダー表示が行われる。
【００３８】
例えば、図４に示したように、１コマ再生モードで最後に表示されていた表示コマの画像１７が「１００ＯＬＹＭＰ／Ｐ１０１０００１．ＪＰＧ」の場合、この画像１７の撮影日は２００４年１月１日であるので、着脱メモリ９から２００４年１月に係る制御ファイル「２００４＿０１．ＣＡＬ」が読み出され、その制御ファイルに基づいて、２００４年１月の月単位カレンダー表示が行われる。
【００３９】
この月単位カレンダー表示の際には、表示対象となる月に係る制御ファイルに日単位で記述されている代表画像ファイルのリスト毎に、当該代表画像ファイルのリストに基づいて当該代表画像ファイルの画像データが着脱メモリ９から読み出され、その画像データに基づく画像が、当該代表画像ファイルのリストに係る日、すなわち、その画像の撮影日の領域に表示される。
【００４０】
同図の例では、２００４年１月に係る制御ファイル「２００４＿０１．ＣＡＬ」に日単位で記述されている代表画像ファイルのリストである、１日の「／ＤＣＩＭ／１００ＯＬＹＭＰ／Ｐ１０１０００１．ＪＰＧ」と５日の「／ＤＣＩＭ／１００ＯＬＹＭＰ／Ｐ１０５０００３．ＪＰＧ」に基づいて、「／１００ＯＬＹＭＰ／Ｐ１０１０００１．ＪＰＧ」と「／１００ＯＬＹＭＰ／Ｐ１０５０００３．ＪＰＧ」が着脱メモリ９から読み出され、「／１００ＯＬＹＭＰ／Ｐ１０１０００１．ＪＰＧ」に基づく画像１８が月単位カレンダー上の１日の領域に、「／１００ＯＬＹＭＰ／Ｐ１０５０００３．ＪＰＧ」に基づく画像１９が月単位カレンダー上の５日の領域に表示される。
【００４１】
また、１コマ再生モードから月単位カレンダー再生モードに切り替えられ、１コマ再生モードで最後に表示されていた表示コマの画像の撮影日を含む月の月単位カレンダーが表示されたときには、その１コマ再生モードで最後に表示されていた表示コマの画像の撮影日の領域にカーソル枠が表示される。
【００４２】
同図の例では、１コマ再生モードで最後に表示されていた表示コマの画像１７の撮影日が２００４年１月１日であるので、１日の領域にカーソル枠２０が表示される。
尚、同図において、符号２１と２２で示したものは、２００４年１月の月単位カレンダー上の、カーソル枠２０を含めた１日の領域と５日の領域を拡大したものである。
【００４３】
以後、この月単位カレンダー再生モードでは、ユーザが十字ボタンを操作する毎にカーソル枠の移動が行われる。詳しくは、左ボタンを押下すると、撮影日時が、カーソル枠が表示されていた日よりも過去で且つ最新の画像ファイルの撮影日の領域へカーソル枠が移動する。また、右ボタンを押下すると、撮影日時が、カーソル枠が表示されていた日よりも未来で且つ最古の画像ファイルの撮影日の領域へカーソル枠が移動する。また、上ボタンを押下すると、撮影日時が、カーソル枠が表示されていた日の月よりも過去で且つ最新の画像ファイルの撮影日の領域にカーソル枠が移動する。また、下ボタンを押下すると、撮影日時が、カーソル枠が表示されていた日の月よりも未来で且つ最古の画像ファイルの撮影日の領域にカーソル枠が移動する。
【００４４】
但し、このようにして十字ボタンの操作が行われたときに該当する画像ファイルが存在しない場合には、カーソル枠の移動は行われない。尚、この場合に、左ボタン又は上ボタンが押下されていたときには、撮影日時が最新の画像ファイルの撮影日の領域にカーソル枠が移動するようにし、右ボタン又は下ボタンが押下されていたときには、撮影日時が最古の画像ファイルの撮影日の領域にカーソル枠が移動するようにすることも可能である。
【００４５】
このような十字ボタンの操作により行われる動作は、詳しくは後述するが、制御ファイルに記述されている代表画像ファイルのリストや制御ファイルのリストに基づいて行われる。
【００４６】
また、この月単位カレンダー再生モードにおいて、ユーザが上記ズームＴｅｌｅボタンを押下すると、再び、１コマ再生モードに切り替わり、月単位カレンダー再生モードで最後にカーソル枠が表示されていた日の代表画像ファイルの画像が、表示コマの画像として表示される。
【００４７】
一方、月単位カレンダー再生モードにおいて、ユーザが上記ズームＷｉｄｅボタンを押下すると、例えば２００４年，２００５年などの年単位でカレンダーを表示する年単位カレンダー再生モードに切り替わり、月単位カレンダー再生モードで最後にカーソル枠が表示されていた日を含む年に含まれる月に係る制御ファイルに基づいて、その年の年単位カレンダー表示が行われる。
【００４８】
同図の例では、月単位カレンダー再生モードで最後にカーソル枠が表示されていた日が２００４年１月１日であるので、２００４年に含まれる月に係る制御ファイルである、「２００４＿０１．ＣＡＬ」，「２００４＿０２．ＣＡＬ」，及び「２００４＿０６．ＣＡＬ」が着脱メモリ９から読み出され、それらの制御ファイルに基づいて２００４年の年単位カレンダー表示が行われる。
【００４９】
この年単位カレンダー表示の際には、読み出された制御ファイル毎に、当該制御ファイルに記述されている撮影日が最古の代表画像ファイルのリストに基づいてその代表画像ファイルの画像データが着脱メモリ９から読み出され、その画像データに基づく画像が、当該制御ファイルに係る月、すなわち、その画像の撮影月の領域に表示される。
【００５０】
同図の例では、「２００４＿０１．ＣＡＬ」に記述されている撮影日が最古の代表画像ファイルのリストである「／ＤＣＩＭ／１００ＯＬＹＭＰ／Ｐ１０１０００１．ＪＰＧ」に基づいて、「／１００ＯＬＹＭＰ／Ｐ１０１０００１．ＪＰＧ」が着脱メモリ９から読み出され、その「／１００ＯＬＹＭＰ／Ｐ１０１０００１．ＪＰＧ」に基づく画像２３が年単位カレンダー上の１月の領域に表示される。同様にして、「２００４＿０２．ＣＡＬ」に記述されている撮影日が最古の代表画像ファイルのリストである「／ＤＣＩＭ／１０１ＯＬＹＭＰ／Ｐ２０１０００１．ＪＰＧ」に基づいて、画像２４が２月の領域に表示され、「２００４＿０６．ＣＡＬ」に記述されている撮影日が最古の代表画像ファイルのリストである「／ＤＣＩＭ／１０１ＯＬＹＭＰ／Ｐ６２２０００２．ＪＰＧ」に基づいて、画像２５が６月の領域に表示される。
【００５１】
尚、本実施例では、月の領域に表示される画像を、撮影日時がその月の最古の画像ファイルの画像とするが、その他、撮影日時がその月の例えば最新の画像ファイルの画像とすることも可能である。
【００５２】
また、月単位カレンダー再生モードから年単位カレンダー再生モードに切り替えられ、月単位カレンダー再生モードで最後にカーソル枠が表示されていた日を含む年の年単位カレンダーが表示されたときには、その月単位カレンダー再生モードで最後にカーソル枠が表示されていた日を含む月の領域にカーソル枠が表示される。
【００５３】
同図の例では、月単位カレンダー再生モードで最後にカーソル枠が表示されていた日が２００４年１月１日であるので、１月の領域にカーソル枠２０が表示される。
尚、同図において、符号２６で示したものは、２００４年の年単位カレンダー上の、カーソル枠２０を含めた１月の領域を拡大したものである。
【００５４】
以後、この年単位カレンダー再生モードでは、ユーザが十字ボタンを操作する毎にカーソル枠の移動が行われる。詳しくは、左ボタンを押下すると、撮影日時が、カーソル枠が表示されていた月よりも過去で且つ最新の画像ファイルの撮影月の領域にカーソル枠が移動する。また、右ボタンを押下すると、撮影日時が、カーソル枠が表示されていた月よりも未来で且つ最古の画像ファイルの撮影月の領域にカーソル枠が移動する。また、上ボタンを押下すると、撮影日時が、カーソル枠が表示されていた月の年よりも過去で且つ最新の画像ファイルの撮影月の領域にカーソル枠が移動する。また、下ボタンを押下すると、撮影日時が、カーソル枠が表示されていた月の年よりも未来で且つ最古の画像ファイルの撮影月の領域にカーソル枠が移動する。
【００５５】
但し、このような十字ボタンの操作が行われたときに該当する画像ファイルが存在しない場合には、カーソル枠の移動は行われない。尚、この場合に、左ボタン又は上ボタンが押下されていたときには、撮影日時が最新の画像ファイルの撮影月の領域にカーソル枠が移動するようにし、右ボタン又は下ボタンが押下されていたときには、撮影日時が最古の画像ファイルの撮影月の領域にカーソル枠が移動するようにすることも可能である。
【００５６】
このような十字ボタンの操作により行われる動作も、詳しくは後述するが、制御ファイルに記述されている代表画像ファイルのリストや制御ファイルのリストに基づいて行われる。
【００５７】
また、この年単位カレンダー再生モードにおいて、ユーザが上記ズームＴｅｌｅボタンを押下すると、再び、月単位カレンダー再生モードに切り替わり、年単位カレンダー再生モードで最後にカーソル枠が表示されていた月に係る制御ファイルに基づいてその月の月単位カレンダー表示が行われると共に、年単位カレンダー再生モードで最後にカーソル枠が表示されていた月の最古の画像の撮影日の領域にカーソル枠が表示される。
【００５８】
次に、上述の図４で説明したカレンダー再生動作において使用される制御ファイルの登録に係る動作と、そのカレンダー再生動作とを、図５乃至図９に示すフローチャートを参照しながら更に詳細に説明する。
【００５９】
まず、上記制御ファイルの登録に係る動作を、図５及び図６を用いて説明する。
図５は、撮影により画像ファイルが着脱メモリ９に記録されたときに行われる、制御ファイルの登録に係る動作を示すフローチャートである。
【００６０】
同図に示したように、本動作では、まず、撮影モードにおいて、ユーザにより撮影が指示されると、撮影動作を行い（ステップ（以下単に「Ｓ」という）１）、画像データを画像ファイルとして着脱メモリに記録する（Ｓ２）。
【００６１】
続いて、Ｓ２で記録した画像ファイルの撮影日時（ｄａｔｅｔｉｍｅ）の年をＹ，月をＭ，日をＤとし（Ｓ３）、着脱メモリ９においてＹ年Ｍ月に係る制御ファイルを検索し（Ｓ４）、その制御ファイルが存在するか否かを判定する（Ｓ５）。
【００６２】
Ｓ５の判定がＮｏの場合、続いて、Ｙ年Ｍ月に係る制御ファイル、すなわち当該制御ファイルがＹ年Ｍ月に係るものであること（「Ｙｅａｒ」＝Ｙ，「Ｍｏｎｔｈ」＝Ｍ）を記述した制御ファイルを作成し（Ｓ６）、当該制御ファイルに、Ｄ日に係る代表画像ファイルのリストとして、Ｓ２で記録した画像ファイルのパスを含むファイル名（ｆｉｌｅｎａｍｅ）を記述する（Ｓ７）。続いて、着脱メモリ９においてＹ年Ｍ月よりも過去で且つ最新の月に係る制御ファイルを検索し（Ｓ８）、その制御ファイルが存在するか否かを判定する（Ｓ９）。
【００６３】
Ｓ９の判定がＹｅｓの場合、続いて、そのＳ９で存在すると判定された制御ファイルに係る年をＹ2，月をＭ2とし（Ｓ１０）、そのＹ2年Ｍ2月に係る制御ファイルに、当該制御ファイルに係る月よりも未来で且つ最古の月に係る制御ファイルのリスト（「Ｎｅｘｔ」パラメータ）として、Ｙ年Ｍ月に係る制御ファイルのファイル名を追記する（Ｓ１１）。続いて、Ｙ年Ｍ月に係る制御ファイルに、当該制御ファイルに係る月よりも過去で且つ最新の月に係る制御ファイルのリスト（「Ｐｒｅｖ」パラメータ）として、Ｙ2年Ｍ2月に係る制御ファイルのファイル名を記述する（Ｓ１２）。そして、そのＹ年Ｍ月に係る制御ファイルを着脱メモリ９に記録し（Ｓ１３）、本フローが終了する。一方、Ｓ９の判定がＮｏの場合には、そのままＹ年Ｍ月に係る制御ファイルを着脱メモリ９に記録し（Ｓ１３）、本フローが終了する。
【００６４】
一方、上記Ｓ５の判定がＹｅｓの場合、続いて、そのＹ年Ｍ月に係る制御ファイルに、Ｄ日に係る代表画像ファイルのリストが記述されているか否かを判定する（Ｓ１４）。
Ｓ１４の判定がＮｏの場合には、続いて、そのＹ年Ｍ月に係る制御ファイルに、Ｄ日に係る代表画像ファイルのリストとして、Ｓ２で記録した画像ファイルのパスを含むファイル名（ｆｉｌｅｎａｍｅ）を追記し（Ｓ１５）、本フローが終了する。一方、Ｓ１４の判定がＹｅｓの場合には、そのまま本フローが終了する。
【００６５】
図６は、外部装置からの画像ファイルが着脱メモリ９に記録されたときに行われる、制御ファイルの登録に係る動作を示すフローチャートである。
同図に示したように、本動作では、まず、外部Ｉ／Ｆ１６を介して、ＵＳＢケーブル等で接続されている例えばＰＣ等の外部装置から着脱メモリ９へ画像ファイルが記録されると（Ｓ２１）、Ｓ２２以降の処理を開始する。
【００６６】
続く、Ｓ２２以降の処理は、上述の図５に示したＳ３以降の処理とほぼ同様であるが、図５に示した動作では、Ｓ１２の後又はＳ９がＮｏの後にＳ１３の処理が行われ、また、Ｓ１４がＹｅｓの後にそのままフローが終了していたのに対し、本動作では、Ｓ１２に対応するＳ３１の後又はＳ９に対応するＳ２８がＮｏの後に、更にＳ９１乃至Ｓ９５の処理を行ってからＳ１３に対応するＳ３２の処理を行い、また、Ｓ１４に対応するＳ３３がＹｅｓの後に更にＳ３５乃至Ｓ３８の処理を行う点が異なる。
【００６７】
すなわち、本フローでは、Ｓ３１の後又はＳ２８がＮｏの後は、続いて、着脱メモリ９においてＹ年Ｍ月よりも未来で且つ最古の月に係る制御ファイルを検索し（Ｓ９１）、その制御ファイルが存在するか否かを判定する（Ｓ９２）。
【００６８】
Ｓ９２の判定がＹｅｓの場合、続いて、そのＳ９２で存在すると判定された制御ファイルに係る年をＹ3，月をＭ3とし（Ｓ９３）、そのＹ3年Ｍ3月に係る制御ファイルに、当該制御ファイルに係る月よりも過去で且つ最新の月に係る制御ファイルのリスト（「Ｐｒｅｖ」パラメータ）として、Ｙ年Ｍ月に係る制御ファイルのファイル名を追記する（Ｓ９４）。続いて、Ｙ年Ｍ月に係る制御ファイルに、当該制御ファイルに係る月よりも未来で且つ最古の月に係る制御ファイルのリスト（「Ｎｅｘｔ」パラメータ）として、Ｙ3年Ｍ3月に係る制御ファイルのファイル名を記述する（Ｓ９５）。そして、そのＹ年Ｍ月に係る制御ファイルを着脱メモリ９に記録し（Ｓ３２）、本フローが終了する。一方、Ｓ９２の判定がＮｏの場合には、そのままＹ年Ｍ月に係る制御ファイルを着脱メモリ９に記録し（Ｓ３２）、本フローが終了する。
【００６９】
このように、Ｓ３１の後又はＳ２８がＮｏの後にＳ９１以降の処理を行う理由は、外部装置から着脱メモリ９へ画像ファイルが記録される場合には、外部装置からの画像ファイルの撮影日時の方が、既に着脱メモリ９に記録されていた画像ファイルの撮影日時よりも過去となる場合があるからである。
【００７０】
また、本フローにおいて、Ｓ３３がＹｅｓの後は、続いて、Ｙ年Ｍ月に係る制御ファイルに記述されているＤ日に係る代表画像ファイルのリスト（パスを含むファイル名：ｆｉｌｅｎａｍｅ２）を取得し（Ｓ３５）、着脱メモリ９において、その代表画像ファイルのリストを検索し、その代表画像ファイルの撮影日時（ｄａｔｅｔｉｍｅ２）を取得する（Ｓ３６）。そして、Ｓ２１で着脱メモリ９に記録された画像ファイルの撮影日時（ｄａｔｅｔｉｍｅ）が、Ｓ３６で取得された代表画像ファイルの撮影日時（ｄａｔｅｔｉｍｅ２）よりも過去であるか否かを判定する（Ｓ３７）。
【００７１】
Ｓ３７の判定がＹｅｓの場合、続いて、Ｙ年Ｍ月に係る制御ファイルにＤ日に係る代表画像ファイルのリストとして記述されている画像ファイルのパスを含むファイル名（ｆｉｌｅｎａｍｅ２）を、Ｓ２１で記録された画像ファイルのパスを含むファイル名（ｆｉｌｅｎａｍｅ）へ変更し（Ｓ３８）、本フローが終了する。一方、Ｓ３７がＮｏの場合には、そのまま本フローが終了する。
【００７２】
このように、Ｓ３３がＹｅｓの場合にＳ３５以降の処理を行う理由は、外部装置から着脱メモリ９へ画像ファイルが記録される場合には、外部装置からの画像ファイルの撮影日時と、既に着脱メモリ９に記録されていた画像ファイルの撮影日時とが同日であったとしても、外部装置からの画像ファイルの撮影日時の方が、既に着脱メモリ９に記録されていた画像ファイルの撮影日時よりも過去となる場合があるからである。
【００７３】
尚、本実施例において、撮影日が同日となる画像ファイルが複数ある場合に、その日に係る代表画像ファイルのリストを、仮に、撮影日時がその日の最新となる画像ファイルのリストとしていた場合には、上記Ｓ３７の判定がＮｏのときに上記Ｓ３８の処理を行い、Ｙｅｓのときにはそのまま終了するように上記フローを構成することも可能である。
【００７４】
次に、ズームＷｉｄｅボタンの押下により１コマ再生モードから月単位カレンダー再生モードに変更された場合、若しくは、ズームＴｅｌｅボタンの押下により年単位カレンダー再生モードから月単位カレンダー再生モードに変更された場合に行われるカレンダー再生動作を、図７を用いて説明する。
【００７５】
図７は、その月単位カレンダー再生モードに変更された場合のカレンダー再生動作に係るフローチャートである。
同図に示したように、本動作では、１コマ再生モードにおいて撮影日時がＹ年Ｍ月Ｄ日の画像が表示されているときにズームＷｉｄｅボタンが押下されると、まず、その画像の撮影日時を含むＹ年Ｍ月の月単位カレンダーの罫線や日付の数値などをＶＲＡＭ１０に描画する（Ｓ４１）。若しくは、年単位カレンダー再生モードにおいて撮影日時がＹ年Ｍ月Ｄ日（但し、Ｄ日はＹ年Ｍ月で最古の撮影日）の画像があるＹ年Ｍ月の領域にカーソル枠があるＹ年の年単位カレンダーが表示されているときにズームｔｅｌｅボタンが押下されると、まず、そのカーソル枠があったＹ年Ｍ月の領域に表示されていた画像の撮影日時を含むＹ年Ｍ月の月単位カレンダーの罫線や日付の数字などをＶＲＡＭ１０に描画する（Ｓ４１）。これにより、Ｙ年Ｍ月の月単位カレンダーが内蔵ＬＣＤ１２に表示される。但し、この時には、まだ月単位カレンダー上に画像は表示されていない。
【００７６】
続いて、着脱メモリ９において、そのＹ年Ｍ月に係る制御ファイルを検索し（Ｓ４２）、ｄを１として（１→ｄ）（Ｓ４３）、そのＹ年Ｍ月に係る制御ファイルに、ｄ日に係る代表画像ファイルのリストが記述されているか否かを判定する（Ｓ４４）。
【００７７】
Ｓ４４がＹｅｓの場合、そのｄ日に係る代表画像ファイルのリスト（パスを含むファイル名：ｆｉｌｅｎａｍｅ）を取得し（Ｓ４５）、そのｄ日に係る代表画像ファイルの画像データを読み出して、そのｄ日に係る代表画像ファイルの画像データに基づく縮小画像を、Ｙ年Ｍ月の月単位カレンダー上のｄ日の領域に表示し（Ｓ４６）、続いて、ｄをインクリメントする（ｄ＋１→ｄ）（Ｓ４７）。一方、Ｓ４４がＮｏの場合には、そのままＳ４７へ進み、ｄをインクリメントする（ｄ＋１→ｄ）。
【００７８】
Ｓ４７の後、続いて、ｄがＹ年Ｍ月の総日数を越えたか否かを判定し（Ｓ４８）、その判定結果がＮｏの場合にはＳ４４へ戻る。このようにして、ｄの値が１からＹ年Ｍ月の総日数の値まで上述の処理が繰り返されると、Ｙ年Ｍ月の月単位カレンダー上の日領域毎に、その日に係る代表画像ファイルのリストがある場合に限り、その縮小画像が表示される。
【００７９】
そして、Ｓ４８がＹｅｓになると、Ｙ年Ｍ月の月単位カレンダー上のＤ日の領域に対応するＶＲＡＭ１０上の領域にカーソル枠を描画し（Ｓ４９）、本フローが終了する。このカーソル枠の描画により、Ｙ年Ｍ月の月単位カレンダー上のＤ日の領域にカーソル枠が表示される。
【００８０】
このように本フローによれば、月単位カレンダー再生モードに変更されたときに、表示対象となる月に係る制御ファイルを検索し、その制御ファイルに記述されている代表画像ファイルのリストに基づいて、その代表画像ファイルの画像データを読み出すようにしたので、このときに着脱メモリ９に記録されている全ての画像ファイルの中から代表画像ファイルを検索するといった処理が不要となり、結果として、代表画像ファイルの検索に要する時間が大幅に短縮され、日単位に代表画像を表示する月単位カレンダーの表示を高速且つスムーズに行うことができる。
【００８１】
続いて、この月単位カレンダー再生モードにおいて、下ボタンによるカーソル枠の移動指示が行われた場合のカレンダー再生動作を、図８を用いて説明する。
図８は、そのカレンダー再生動作に係るフローチャートである。
【００８２】
同図に示したように、本動作では、まず、Ｙ年Ｍ月の月単位カレンダーが表示されているときに下ボタンが押下されると、そのＹ年Ｍ月に係る制御ファイルを検索し（Ｓ５１）、そのＹ年Ｍ月に係る制御ファイルに「Ｎｅｘｔ」パラメータが記述されているか否か（Ｓ５２）、すなわち、Ｙ年Ｍ月よりも未来で且つ最古の月に係る制御ファイルのリストが記述されているか否かを判定する。
【００８３】
Ｓ５２がＹｅｓの場合、続いて、「Ｎｅｘｔ」パラメータとして記述されている制御ファイルのリストを基に、その制御ファイルを着脱メモリ９から読み出し、その制御ファイルに係る年と月を取得して年をＹ，月をＭとし（Ｓ５３）、Ｙ年Ｍ月の月単位カレンダーの罫線や日付の数字などをＶＲＡＭ１０に描画する（Ｓ５４）。これにより、Ｙ年Ｍ月に係る月単位カレンダーが内蔵ＬＣＤ１２に表示される（Ｓ５４）。但し、この時には、まだ月単位カレンダー上に画像は表示されていない。
【００８４】
続くＳ５５乃至Ｓ６０の処理では、上述の図７に示したＳ４３乃至４８の処理と同様の処理が行われる。
このようにして、ｄの値が１からＹ年Ｍ月の総日数の値まで上述の処理が繰り返されると、Ｙ年Ｍ月の月単位カレンダー上の日領域毎に、その日に係る代表画像ファイルのリストがある場合に限り、その縮小画像が表示される。
【００８５】
そして、Ｓ６０がＹｅｓになると、Ｙ年Ｍ月に係る制御ファイルに記述されている撮影日が最古の代表画像ファイルのリストに係る日の領域に対応するＶＲＡＭ１０上の領域にカーソル枠を描画し、（Ｓ６１）、本フローが終了する。このカーソル枠の描画により、Ｙ年Ｍ月の月単位カレンダー上で代表画像が表示されている日のうち最古の日の領域にカーソル枠が表示される。
【００８６】
一方、Ｓ５２がＮｏの場合には、そのまま、本フローを終了する。尚、この場合に、着脱メモリ９に記録されている最古の月に係る制御ファイルに基づいて上述のＳ５４乃至Ｓ６１の処理を行い、その最古の月の月単位カレンダーを表示するようにすることも可能である。
【００８７】
このように本フローによれば、月単位カレンダー再生モードにおいて下ボタンによるカーソル枠の移動指示が行われると、その指示前に表示されていた月に係る制御ファイルに記述されている「Ｎｅｘｔ」パラメータに基づいて、当該制御ファイルに係る月よりも未来で且つ最古の月に係る制御ファイルを読み出し、その制御ファイルに基づいてその指示後の月の月単位カレンダーを表示するようにしたので、カーソル枠の移動指示により表示月が変更される場合であっても、日単位に代表画像を表示する月単位カレンダーの表示を高速且つスムーズに行うことができる。
【００８８】
尚、本フローでは、下ボタンによるカーソル枠の移動指示が行われた場合の動作を説明したが、上ボタンによるカーソル枠の移動指示が行われた場合の動作も同様にして行われるものである。但し、この場合には、上述の「Ｎｅｘｔ」パラメータの代わりに「Ｐｒｅｖ」パラメータを用いて処理が行われ、また、Ｓ６１では、Ｙ年Ｍ月に係る制御ファイルに記述されている撮影日が最新の代表画像ファイルのリストに係る日の領域に対応するＶＲＡＭ１０上の領域にカーソル枠が描画される。
【００８９】
また、左ボタンによるカーソル枠の移動指示が行われた場合には、その指示前に表示されていた月に係る制御ファイルに、カーソル枠があった日よりも撮影日が過去の代表画像ファイルのリストが記述されているか否かに応じて次のような処理が行われる。すなわち、それが記述されていた場合には、そのカーソル枠があった日よりも撮影日が過去で且つ最新の代表画像ファイルのリストに係る画像ファイルの撮影日の領域にカーソル枠を表示する。或いは、それが記述されていない場合には、更に、その指示前に表示されていた月に係る制御ファイルに「Ｐｒｅｖ」パラメータとして制御ファイルのリストが記述されている場合に限り、その制御ファイルを読み出し、その制御ファイルに記述されている撮影日が最新の代表画像ファイルのリストに係る画像ファイルの撮影日の領域にカーソル枠を表示する。但し、この場合には表示月も変更する必要があるので、「Ｐｒｅｖ」パラメータとして記述されている制御ファイルに係る月について、上述の図７で説明したＳ４１乃至Ｓ４８の処理を行った上でカーソル枠を表示する。
【００９０】
同様に、右ボタンによるカーソル枠の移動指示が行われた場合には、その指示前に表示されていた月に係る制御ファイルに、カーソル枠があった日よりも撮影日が未来の代表画像ファイルのリストが記述されているか否かに応じて次のような処理が行われる。すなわち、それが記述されていた場合には、そのカーソル枠があった日よりも撮影日が未来で且つ最古の代表画像ファイルのリストに係る画像ファイルの撮影日の領域にカーソル枠を表示する。或いは、それが記述されていない場合には、更に、その指示前に表示されていた月に係る制御ファイルに「Ｎｅｘｔ」パラメータとして制御ファイルのリストが記述されている場合に限り、その制御ファイルを読み出し、その制御ファイルに記述されている撮影日が最古の代表画像ファイルのリストに係る画像ファイルの撮影日の領域にカーソル枠を表示する。但し、この場合には表示月も変更する必要があるので、「Ｎｅｘｔ」パラメータとして記述されている制御ファイルに係る月について、上述の図７で説明したＳ４１乃至Ｓ４８の処理を行った上でカーソル枠を表示する。
【００９１】
次に、ズームＷｉｄｅボタンの押下により月単位カレンダー再生モードから年単位カレンダー再生モードに変更された場合に行われるカレンダー再生動作を、図９を用いて説明する。
【００９２】
図９は、その年単位カレンダー再生モードに変更された場合のカレンダー再生動作に係るフローチャートである。
同図に示したように、本動作では、月単位カレンダー再生モードにおいてＹ年Ｍ月Ｄ日の領域にカーソル枠があるＹ年Ｍ月の月単位カレンダーが表示されているときにズームＷｉｄｅボタンが押下されると、まず、そのカーソル枠があったＹ年Ｍ月Ｄ日の領域に表示されていた画像の撮影日時を含むＹ年の年単位カレンダーの罫線や日付の数字などをＶＲＡＭ１０に描画する（Ｓ７１）。これにより、Ｙ年の年単位カレンダーが内蔵ＬＣＤ１２に表示される。但し、この時には、まだ年単位カレンダー上に画像は表示されていない。
【００９３】
続いて、ｍを１とし（１→ｍ）（Ｓ７２）、着脱メモリ９において、Ｙ年ｍ月に係る制御ファイルを検索し（Ｓ７３）、その制御ファイルが存在するか否かを判定する（Ｓ７４）。
【００９４】
Ｓ７４の判定がＮｏの場合には、ｍをインクリメントして（ｍ＋１→ｍ）（Ｓ８１）、Ｓ７３へ戻り、次の月に係る制御ファイルの検索が行われる。
一方、Ｓ７４の判定がＹｅｓの場合、そのＹ年ｍ月に係る制御ファイルに記述されている撮影日が最古の代表画像ファイルのリスト（パスを含むファイル名：ｆｉｌｅｎａｍｅ）を取得し（Ｓ７５）、その撮影日が最古の代表画像ファイルの画像データを読み出して、その画像データに基づく縮小画像を、Ｙ年の年単位カレンダー上のｍ月の領域に表示する（Ｓ７６）。続いて、そのＹ年ｍ月に係る制御ファイルに、「Ｎｅｘｔ」パラメータが記述されているか否か（Ｓ７７）、すなわち、Ｙ年ｍ月よりも未来で且つ最古の月に係る制御ファイルのリストが記述されているか否かを判定する。
【００９５】
Ｓ７７がＹｅｓの場合、続いて、「Ｎｅｘｔ」パラメータとして記述されている制御ファイルのリストを基に、その制御ファイルを読み出し、その制御ファイルに係る年と月を取得して年をｙ，月をｍとし（Ｓ７８）、Ｙ＝ｙであるか否かを判定する（Ｓ７９）。
【００９６】
Ｓ７９がＹｅｓの場合にはＳ７５へ戻って、Ｙ年ｍ月に係る制御ファイルについて、上述のＳ７５以降の処理が繰り返される。
一方、Ｓ７９がＮｏの場合、又はＳ７７がＮｏの場合には、Ｓ８０へ進み、Ｙ年の年単位カレンダー上のＭ月の領域に対応するＶＲＡＭ１０上の領域にカーソル枠を描画し、本フローが終了する。このカーソル枠の描画により、Ｙ年の年単位カレンダー上のＭ月の領域にカーソル枠が表示される。
【００９７】
このように、本フローによれば、年単位カレンダー再生モードに変更されたときに、表示対象となる年に含まれる月に係る制御ファイルを検索し、その制御ファイル毎に、当該制御ファイルに記述されている撮影日が最古の代表画像ファイルのリストに基づいて、その代表画像ファイルの画像データを読み出すようにしたので、このときに着脱メモリ９に記録されている全ての画像ファイルの中から代表画像ファイルを検索するといった処理が不要となり、結果として、代表画像ファイルの検索に要する時間が大幅に短縮され、月単位に代表画像を表示する年単位カレンダーの表示を高速且つスムーズに行うことができる。
【００９８】
尚、この年単位カレンダー再生モードにおいて、上ボタンによるカーソル枠の移動指示が行われた場合の動作では、その指示前に表示されていた年に含まれる月に係る制御ファイルの中の最古の月に係る制御ファイルに「Ｐｒｅｖ」パラメータとして記述されている制御ファイルのリストがある場合に限り、その制御ファイルに係る月を含む年について、上述の図９で説明したＳ７１乃至Ｓ７９の処理を行い、その制御ファイルに係る月の領域にカーソル枠を表示するものである。
【００９９】
同様に、下ボタンによるカーソル枠の移動指示が行われた場合の動作では、その指示前に表示されていた年に含まれる月に係る制御ファイルの中の最新の月に係る制御ファイルに「Ｎｅｘｔ」パラメータとして記述されている制御ファイルのリストがある場合に限り、その制御ファイルに係る月を含む年について、上述の図９で説明したＳ７１乃至Ｓ７９の処理を行い、その制御ファイルに係る月の領域にカーソル枠を表示するものである。
【０１００】
また、この年単位カレンダー再生モードにおいて、左ボタンによるカーソル枠の移動指示が行われた場合の動作では、その指示前にカーソル枠があった月に係る制御ファイルに「Ｐｒｅｖ」パラメータとして制御ファイルのリストが記述されている場合に限り、その制御ファイルに係る月の領域にカーソル枠を表示するものである。但し、その指示前に表示されていた年と指示後に表示される年とが異なる場合には、指示後に表示される年について、上述の図９で説明したＳ７１乃至Ｓ７９の処理を行った上で、カーソル枠の表示を行うものである。
【０１０１】
同様に、右ボタンによるカーソル枠の移動指示が行われた場合の動作では、その指示前にカーソル枠があった月に係る制御ファイルに「Ｎｅｘｔ」パラメータとして制御ファイルのリストが記述されている場合に限り、その制御ファイルに係る月の領域にカーソル枠を表示するものである。但し、その指示前に表示されていた年と指示後に表示される年とが異なる場合には、指示後に表示される年について、上述の図９で説明したＳ７１乃至Ｓ７９の処理を行った上で、カーソル枠の表示を行うものである。
【０１０２】
以上、本実施例によれば、着脱メモリ９に記録された制御ファイルに記述されている日単位の代表画像ファイルのリストと、「Ｐｒｅｖ」パラメータ又は及び「Ｎｅｘｔ」パラメータとして記述されている制御ファイルのリストとに基づいて、日単位に一つづつ代表画像を表示する月単位カレンダー表示や、月単位に一つづつ代表画像を表示する年単位カレンダー表示を、高速且つスムーズに行うことができる。
【０１０３】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１０４】
【図１】一実施例に係る画像再生装置を備えたデジタルカメラの主要構成を示す図である。
【図２】制御ファイルが記録された着脱メモリのファイル構成例を示す図である。
【図３】制御ファイルの記述内容を示す図である。
【図４】カレンダー再生動作の概要を説明する図である。
【図５】撮影により画像ファイルが記録されたときに行われる、制御ファイルの登録に係る動作を示すフローチャートである。
【図６】外部装置からの画像ファイルが記録されたときに行われる、制御ファイルの登録に係る動作を示すフローチャートである。
【図７】月単位カレンダー再生モードに変更された場合のカレンダー再生動作に係るフローチャートである。
【図８】月単位カレンダー再生モードにおいて下ボタンによるカーソル枠  の移動指示が行われた場合のカレンダー再生動作に係るフローチャートである。
【図９】年単位カレンダー再生モードに変更された場合のカレンダー再生動作に係るフローチャートである。
【符号の説明】
【０１０５】
１      撮影レンズ系
２      撮像素子
３      撮像回路
４      Ａ／Ｄ部
５      シスコン
６      画像処理部
７      Ｉ／Ｆ
８      カードスロット
９      着脱メモリ
１０    ＶＲＡＭ
１１    ＬＣＤドライバ
１２    内蔵ＬＣＤ
１３    内蔵ＲＡＭ
１４    内蔵ＲＯＭ
１５    操作部
１６    外部Ｉ／Ｆ
１７、１８、１９  画像
２０    カーソル枠
２１    日の領域
２２    カーソル枠を含めた日の領域
２３、２４、２５  画像
２６    カーソル枠を含めた月の領域
【図１】
2006245833.tif 000003
【図３】
2006245833.tif 000004
【図４】
2006245833.tif 000005
【図５】
2006245833.tif 000006
【図６】
2006245833.tif 000007
【図７】
2006245833.tif 000008
【図８】
2006245833.tif 000009
【図９】
2006245833.tif 000010
【図２】
2006245833.tif 000011